(57)【要約】【課題】本発明は、操作性を損なうことなく使用者の身長に応じた長さ調整を可能とするウォーキングポールを提供する。【解決手段】本発明の一態様に係るウォーキングポールは、第１端と、第２端とを有し、第１端から第２端に向かう方向に中心軸がある。第２端は、第１端の反対側の端である。本発明の一態様に係るウォーキングポールは、第１端から第２端に向かう方向に延在するシャフトと、第２端側に位置し、かつシャフトに取り付けられるグリップとを備える。グリップは、使用者が握持する握持部を有する。握持部の第２端から第１端に向かう方向における長さは、１０ｃｍ以上４０ｃｍ以下である。【選択図】図１
2018114071.tif 000002
【特許請求の範囲】
【請求項１】
第１端と、前記第１端の反対側の端である第２端とを有し、前記第１端から前記第２端に向かう方向に中心軸があるウォーキングポールであって、
前記第１端から前記第２端に向かう方向に延在するシャフトと、
前記第２端側に位置し、かつ前記シャフトに取り付けられるグリップとを備え、
前記グリップは、使用者が握持する握持部を有し、
前記握持部の前記第２端から前記第１端に向かう方向における長さは、１０ｃｍ以上４０ｃｍ以下である、ウォーキングポール。
【請求項２】
前記握持部に位置する前記グリップの外周面には、前記第２端から前記第１端に向かう方向に沿って少なくとも１つ以上の目盛りが設けられる、請求項１に記載のウォーキングポール。
【請求項３】
前記目盛りの数は複数であり、
前記目盛りは、前記第２端から前記第１端に向かう方向に沿って等間隔で設けられる、請求項２に記載のウォーキングポール。
【請求項４】
前記目盛りは、前記第２端から前記第１端に向かう方向と直交する方向に延在する溝であり、
前記溝において、前記握持部に位置する前記グリップの外周面は窪んでいる、請求項２又は３に記載のウォーキングポール。
【請求項５】
前記中心軸周りの慣性モーメントが０．０９×１０−５ｋｇ・ｍ２以下である、請求項１に記載のウォーキングポール。
【請求項６】
前記第２端を回転中心として前記第１端を回転させる際の慣性モーメントが０．０４４×１０−５ｋｇ・ｍ２以下である、請求項１に記載のウォーキングポール。
【請求項７】
前記中心軸周りの慣性モーメントと前記第２端を回転中心として前記第１端を回転させる際の慣性モーメントとの積が０．００３×１０−１０ｋｇ２・ｍ４以下である、請求項１に記載のウォーキングポール。
【請求項８】
前記握持部に位置する前記グリップの外周面における摩擦力は３．０ｋｇｆ以上３．７ｋｇｆ以下である、請求項１に記載のウォーキングポール。
【請求項９】
前記第２端から前記第１端に向かう方向に沿って前記グリップの外周面と対向しながら延在し、かつ前記グリップの外周面と離間して配置されるストラップをさらに備え、
前記握持部は、前記ストラップの中央と前記中心軸とを通過する面に関して面対称の形状となっている、請求項１〜８のいずれか１項に記載のウォーキングポール。
【発明の詳細な説明】
【技術分野】
【０００１】
本発明は、ウォーキングポールに関する。
【背景技術】
【０００２】
従来から、ウォーキングエクササイズの一態様として、ノルディックウォーキングが知られている。ノルディックウォーキングは、ウォーキングポールを用いて行うウォーキングである。より具体的には、ノルディックウォーキングにおいては、第１に、前方に脚を踏み出すとともに、踏み出した脚と逆側の腕を前方に突き出してウォーキングポールの先端を地面に接触させる動作が行われる。ノルディックウォーキングにおいては、第２に、ウォーキングポールで地面を押すことにより、身体を前方に運ぶ動作が行われる。このような動作を繰り返すことにより、ノルディックウォーキングが行われる。
【０００３】
従来のノルディックウォーキング用のウォーキングポールの一例は、例えば特表２０１２−５１６１６６号公報（特許文献１）に記載されている。特許文献１に記載のウォーキングポールは、シャフトを有している。このシャフトは、内管と、外管と、締め付け装置とを有している。
【０００４】
ノルディックウォーキング用ウォーキングポールの好適な長さは、使用者の身長により異なる。そのため、特許文献１に記載のウォーキングポールにおいては、シャフトの長さは、調整可能とされている。
【０００５】
より具体的には、内管と外管とは、内管が外管内に挿入されることにより、相互に連結されている。これにより、内管は、外管に対しスライドすることが可能とされている。締め付け装置は、内管と外管との連結箇所付近に配置される。締め付け装置が開いた状態で内管を外管に対してスライドさせることで、シャフトが好適な長さに調整される。締め付け装置を閉じて内管の外周面を締め付けることより、内管の外管に対するスライドが規制される。
【先行技術文献】
【特許文献】
【０００６】
【特許文献１】特表２０１２−５１６１６６号公報
【発明の概要】
【発明が解決しようとする課題】
【０００７】
本願発明者は、ウォーキングポールの操作性を改善するためには、ウォーキングポールの中心軸周りの慣性モーメントが重要であるという知見を得た。
【０００８】
上記のとおり、ノルディックウォーキングの第１の動作においては、踏み出した脚と逆側の腕を前方に突き出す必要がある。この腕を前方に突き出す動作は、完全に直線的な動作とはならず、必然的に外旋動作（突き出した腕が身体の外側を緩い弧を描きながら前方に移動する動作）を伴う。
【０００９】
しかしながら、従来のノルディックウォーキング用ウォーキングポールは、シャフトに締め付け装置が設けられているため、締め付け装置自身の重量に加え、締め付け装置が設けられている部分においてシャフトの外径が大きくなっているため、重量が重くなっている。そのため、従来のノルディックウォーキング用ウォーキングポールは、ウォーキングポールの中心軸周りの慣性モーメントが大きい。その結果として、従来のノルディックウォーキング用ウォーキングポールは、上記の第１の動作を行う際の操作性に改善の余地がある。
【００１０】
本発明は、上記のような従来技術の問題点に鑑みてなされたものである。より具体的には、本発明は、ウォーキングポールの操作性を損なうことなく使用者の身長に応じた長さ調整を可能とするウォーキングポールを提供するものである。
【課題を解決するための手段】
【００１１】
本発明の一態様に係るウォーキングポールは、第１端と、第１端の反対側の端である第２端とを有し、第１端から第２端に向かう方向に中心軸がある。本発明の一態様に係るウォーキングポールは、第１端から第２端に向かう方向に延在するシャフトと、第２端側に位置し、かつシャフトに取り付けられるグリップとを備える。グリップは、使用者が握持する握持部を有する。握持部の第２端から第１端に向かう方向における長さは、１０ｃｍ以上４０ｃｍ以下である。
【発明の効果】
【００１２】
本発明の一態様に係るウォーキングポールによると、操作性を損なうことなく使用者の身長に応じた長さ調整が可能となる。
【図面の簡単な説明】
【００１３】
【図１】実施形態に係るウォーキングポール１の側面図である。
【図２】図１のＩＩ−ＩＩにおける断面図である。
【図３】図１のＩＩＩ−ＩＩＩにおける断面図である。
【図４】図１の領域ＩＶの拡大図である。
【図５】摩擦力の測定機器及び測定方法を示す模式図である。
【図６】実施形態に係るウォーキングポール１の平面図である。
【図７】実施形態に係るウォーキングポール１の握持部３３に位置するグリップ３の外周面における摩擦力と硬度との関係を示すグラフである。
【発明を実施するための形態】
【００１４】
以下に、本発明に係るウォーキングポールの実施形態の詳細について図を参照して説明する。なお、各図中同一又は相当部分には同一符号を付している。また、以下に記載する実施形態の少なくとも一部を任意に組み合わせてもよい。
【００１５】
（実施形態に係るウォーキングポールの構成）
以下に、実施形態に係るウォーキングポールの構成について説明する。
【００１６】
実施形態に係るウォーキングポール１は、好ましくはノルディックウォーキング用ウォーキングポールである。但し、実施形態に係るウォーキングポール１は、これに限られるものではない。
【００１７】
図１は、実施形態に係るウォーキングポール１の側面図である。図１に示すように、実施形態に係るウォーキングポール１は、第１端１ａと、第２端１ｂとを有している。第１端１ａは、実施形態に係るウォーキングポール１の地面に接触する側の端である。第２端１ｂは、第１端１ａの反対側の端である。実施形態に係るウォーキングポール１の中心軸１ｃは、第２端１ｂから第１端１ａに向かっている。
【００１８】
実施形態に係るウォーキングポール１の長さＬ１は、例えば１０２０ｍｍ以上である。長さＬ１は、１１２０ｍｍ以上であってもよい。長さＬ１は、第１端１ａと第２端１ｂとの間の距離である。実施形態に係るウォーキングポール１の重量は、例えば２３３ｇ以下である。実施形態に係るウォーキングポール１の重量は、２２２ｇ以下であってもよい。
【００１９】
実施形態に係るウォーキングポール１は、シャフト２と、グリップ３とを有している。実施形態に係るウォーキングポール１は、ストラップ４と、保護部材５とを有していてもよい。
【００２０】
シャフト２は、第２端１ｂから第１端１ａに向かう方向に沿って延在している。シャフト２には、例えば、アルミニウム合金が用いられる。但し、シャフト２に用いられる材料は、これに限られるものではない。例えば、シャフト２には、他の金属材料を用いることができる。また、例えば、シャフト２にはＦＲＰ（Fiber  Reinforced  Plastics）を用いることもできる。図２は、図１のＩＩ−ＩＩにおける断面図である。シャフト２は、円筒形状を有していることが好ましい。すなわち、シャフト２は、中空となっていることが好ましい。
【００２１】
図１に示すように、グリップ３は、実施形態に係るウォーキングポール１の第２端１ｂ側に配置されている。グリップ３は、シャフト２に取り付けられている。図３は、図１のＩＩＩ−ＩＩＩにおける断面図である。図３に示すように、グリップ３は、シャフト２の外周面を覆うようにシャフト２に取り付けられている。
【００２２】
図４は、図１の領域ＩＶの拡大図である。図４に示すように、グリップ３は、第１端部３１と、第２端部３２と、握持部３３とを有している。第１端部３１は、グリップ３の第２端１ｂ側の端に位置している。第２端部３２は、グリップ３の第２端１ｂ側とは反対側の端（第１端１ａ側の端）に位置している。握持部３３は、第１端部３１と第２端部３２との間に配置されている。実施形態に係るウォーキングポール１の使用者は、握持部３３を握持する。
【００２３】
グリップ３の外周面には、目盛り３４が設けられていることが好ましい。より具体的には、目盛り３４は、握持部３３に位置するグリップ３の外周面に設けられていることが好ましい。目盛り３４は、例えば溝３４ａにより構成されている。溝３４ａにおいて、グリップ３の外周面は窪んでいる。なお、目盛り３４は、握持部３３の外周面から突出する凸部や握持部３３の外周面に施された塗装によるマーキングであってもよい。
【００２４】
溝３４ａは、第２端１ｂから第１端１ａに向かう方向と直交する方向に延在していることが好ましい。溝３４ａは、グリップ３の外周面上において、一周していることが好ましい。但し、溝３４ａは、グリップ３の外周面上を必ずしも一周している必要はない。溝３４ａは、複数設けられていてもよい。溝３４ａが複数設けられている場合、各々の溝３４ａは、第２端１ｂから第１端１ａに向かう方向に沿って、等間隔で配置されていることが好ましい。
【００２５】
握持部３３は、長さＬ２を有している。長さＬ２は、第２端１ｂから第１端１ａに向かう方向における長さである。長さＬ２は、使用者の握り拳の小指側と親指側との間の長さよりも大きい。より具体的には、長さＬ２は、１０ｃｍ以上４０ｃｍ以下である。長さＬ２は、２０ｃｍ以上３０ｃｍ以下であることが好ましい。
【００２６】
握持部３３に位置するグリップ３の外周面における摩擦力は、３．０ｋｇｆ以上３．７ｋｇｆ以下であることが好ましい。握持部３３に位置するグリップ３の外周面における摩擦力は、３．１ｋｇｆ以上３．６ｋｇｆ以下であることがさらに好ましい。
【００２７】
図５は、摩擦力の測定機器及び測定方法を示す模式図である。図５に示すように、摩擦力の測定機器６は、試験片固定部６１と、試験片摩擦プレート６２とを有している。試験片固定部６１には、試験片６３がチャッキングされる。試験片６３としては、５ｃｍの長さに切断された握持部３３の内部にアルミニウムパイプ６３ａが挿入されたものが用いられる。切断された握持部３３とアルミニウムパイプとの間は、接着されない。
【００２８】
試験片６３は、長さ方向においては、試験片固定部６１により全長にわたってチャッキングされる。試験片６３は、径方向においては、一方端から１７ｍｍ（円柱状の試験片６３の半径に相当）の範囲が試験片固定部６１によりチャッキングされ、他方端側の一部は試験片固定部６１によりチャッキングされない。
【００２９】
試験片６３は、試験片固定部６１にチャッキングされた状態で、試験片摩擦プレート６２上に載置される。試験片摩擦プレート６２には、ステンレス鋼が用いられる。試験片摩擦プレート６２上の任意の５点で測定した表面粗さの平均値は、４．８μｍである。試験片６３と試験片摩擦プレートとの間に加えられる荷重ＬＤ１は、８．６９ｋｇｆである。荷重ＬＤ１は、試験片摩擦プレート６２の表面に直交する方向に加えられる。
【００３０】
試験片６３に荷重ＬＤ１が加えられた状態で、試験片固定部６１は、試験片６３の長さ方向に沿って往復移動する（往復移動距離は２ｍｍ）。この往復移動の際の移動速度は、２５０ｍｍ／ｍｉｎである。この往復移動の際に試験片６３に加わる荷重ＬＤ２は、ロードセル等により測定される。そして、荷重ＬＤ２の最大値を、握持部３３に位置するグリップ３の外周面における摩擦力とする。
【００３１】
グリップ３の硬度は、５０度以上６０度以下であることが好ましい。グリップ３の硬度は、ＪＩＳ  Ｋ  ６２５３にしたがって測定される。握持部３３に位置するグリップ３の外周面には、テクスチャが設けられていてもよい。すなわち、握持部３３に位置するグリップ３の外周面には、細かい凹凸形状が設けられていてもよい。グリップ３には、例えばＴＰＲ（Thermo  Plastic  Rubber、熱可塑性ゴム）が用いられる。但し、グリップ３に用いられる材料は、これに限られるものではない。
【００３２】
握持部３３におけるグリップ３の外径は、溝３４ａが設けられている部分を除き、第１端部３１側から第２端部３２側にわたって（第２端１ｂ側から第１端１ａ側にわたって）一定であってもよい。
【００３３】
ストラップ４は、使用者の手を握持部３３に固定する。ストラップ４は、第２端１ｂから第１端１ａに向かう方向に沿って、握持部３３に位置するグリップ３の外周面と対向しながら延在している。ストラップ４は、握持部３３に位置するグリップ３の外周面と離間して配置されている。
【００３４】
ストラップ４の長さは、可変となっている。より具体的には、ストラップ４は、下部ストラップ４１と、上部ストラップ４２とを有している。下部ストラップ４１及び上部ストラップ４２には、ポリプロピレンが用いられる。なお、下部ストラップ４１及び上部ストラップに用いられる材料は、ポリプロピレンに限られるものではなく、ナイロン等であってもよい。
【００３５】
第２端部３２に隣接しているシャフト２の外周面には、帯状部材４３が巻き付けられている。下部ストラップ４１の一方端は、帯状部材４３に取り付けられている。下部ストラップ４１は、帯状部材４３から第２端１ｂに向かう方向に延在している。下部ストラップ４１の他方端には、ループ部材４４が取り付けられている。
【００３６】
上部ストラップ４２は、凸面ファスナと、凹面ファスナとが設けられている。凸面ファスナは、上部ストラップ４２の一方端側に配置されている。凹面ファスナは、上部ストラップ４２の他方端側に設けられている。凸面ファスナ及び凹面ファスナは、上部ストラップ４２のグリップ３の外周面と対向する側の面とは反対側の面上に設けられている。
【００３７】
上部ストラップ４２の一方端は、第１端部３１に位置するグリップ３の外周面に固定されている。上部ストラップ４２の他方端側は、ループ部材４４に通されて折り返される。凸面ファスナ及び凹面ファスナにより、ループ部材４４に通されて折り返された上部ストラップ４２の部分が、ループ部材４４に通されない上部ストラップ４２の部分に対して固定される。これにより、ストラップ４の長さが可変とされている。例えば、ループ部材４４に通されて折り返される位置を他方端側とすることによりストラップ４が長くなり、ループ部材４４に通されて折り返される位置を一方端側とすることにより、ストラップ４が短くなる。
【００３８】
なお、ストラップ４の長さを可変とする構成は、これに限られるものではない。例えばストラップ４を伸縮性のある材料で構成することによってストラップ４の長さを可変としてもよい。
【００３９】
保護部材５は、実施形態に係るウォーキングポール１を地面との接触から保護する。保護部材５は、第１端１ａに配置されている。保護部材５は、シャフト２に取り付けられている。保護部材５には、例えば天然ゴムが用いられる。
【００４０】
図６は、実施形態に係るウォーキングポール１の平面図である。図６中において、握持部３３の外形は、点線により示されている。図６に示すように、握持部３３は、中心面１ｄに関して面対称な形状となっている。ここで、中心面１ｄは、中心軸１ｃとストラップ４の中央Ｍとを通過する面をいう。なお、握持部３３のみならず、グリップ３の全体が、中心面１ｄに対して面対称な形状となっていてもよい。
【００４１】
実施形態に係るウォーキングポール１の中心軸１ｃ周りの慣性モーメントは、０．０９×１０−５ｋｇ・ｍ２以下であることが好ましい。実施形態に係るウォーキングポール１の中心軸１ｃ周りの慣性モーメントは、０．０８×１０−５ｋｇ・ｍ２以下であってもよい。実施形態に係るウォーキングポール１の中心軸１ｃ周りの慣性モーメントは、０．０６×１０−５ｋｇ・ｍ２以下であってもよい。
【００４２】
好ましくは、第２端１ｂを回転中心として第１端１ａを回転させる際の実施形態に係るウォーキングポール１の慣性モーメントは、０．０４４×１０−５ｋｇ・ｍ２以下である。第２端１ｂを回転中心として第１端１ａを回転させる際の実施形態に係るウォーキングポール１の慣性モーメントは、０．０３５×１０−５ｋｇ・ｍ２以下であってもよい。
【００４３】
実施形態に係るウォーキングポール１の中心軸１ｃ周りの慣性モーメントと第２端１ｂを回転中心として第１端１ａを回転させる際の慣性モーメントとの積は、０．００３×１０−１０ｋｇ２・ｍ４以下であってもよい。実施形態に係るウォーキングポール１の中心軸１ｃ周りの慣性モーメントと第２端１ｂを回転中心として第１端１ａを回転させる際の慣性モーメントとの積は、０．００２×１０−１０ｋｇ２・ｍ４以下であってもよい。
【００４４】
（実施形態に係るウォーキングポールの効果）
以下に実施形態に係るウォーキングポール１の効果について説明する。
【００４５】
上記のとおり、実施形態に係るウォーキングポール１は、握持部３３を含むグリップ３を有しており、握持部３３の長さＬ２は、１０ｃｍ以上４０ｃｍ以下となっている。この長さＬ２は、使用者の握り拳の小指側と親指側との間の長さよりも長い。そのため、使用者がその身長に応じて握持部３３を握る位置を変えることにより（使用者の身長が高い場合には、握持部３３の第２端１ｂに近い側を握り、使用者の身長が低い場合には、握持部３３の第１端１ａに近い側を握ることにより）、身長に応じた長さ調整が可能となる。
【００４６】
実施形態に係るウォーキングポール１においては、上記のように身長に応じた長さ調整が行われる。そのため、シャフト２に締め付け装置等の長さ調整用の機構を設ける必要がない。そのため、実施形態に係るウォーキングポール１においては、シャフト２の重量を軽くし、シャフト２の外径を小さくすることができる。その結果、実施形態に係るウォーキングポール１によると、中心軸１ｃ周りの慣性モーメントが小さくなり、操作性が向上する。
【００４７】
また、ノルディックウォーキングの第１の動作において踏み出した脚と反対側の腕を前方に突き出す際に、実施形態に係るウォーキングポールの第１端１ａ側が大きく揺動してしまうと、操作性が悪化する。実施形態に係るウォーキングポール１においては、上記の通り、シャフト２の重量を軽くすることができるため、第２端１ｂを回転中心として第１端１ａが回転する際の慣性モーメントを小さくすることができ、上記の第１端１ａ側の揺動を抑制しやすくなる。このような観点からも、実施形態に係るウォーキングポール１によると、操作性が向上する。
【００４８】
ウォーキングポールの中心軸１ｃ周りの慣性モーメント及び第２端１ｂを回転中心として第１端１ａが回転する際の慣性モーメントと操作性との関係を評価するための官能試験の結果を表１に示す。この官能試験においては、操作性を振りやすさ、運びやすさ及び歩きやすさの各々の観点から７段階で評価した（最も良い場合を７点、最も悪い場合を１点とした）。なお、被験者の数は、各々の比較例及び実施例について８人である。この官能試験に供した比較例及び実施例を表２に示す。
【００４９】
【表１】
2018114071.tif 000003
【００５０】
【表２】
2018114071.tif 000004
【００５１】
実施例１は、本発明の実施形態において、ウォーキングポール１の長さ（長さＬ１）が１１２０ｍｍのものである。実施例２は、発明の実施形態において、ウォーキングポール１の長さ（長さＬ１）が１０２０ｍｍのものである。比較例１及び２は、従来のウォーキングポールに装着されているシャフトに締め付け装置を備えており、長さが１１２０ｍｍのものである。比較例３及び４は、従来のウォーキングポールに装着されているシャフトに締め付け装置を備えており、長さが１０２０ｍｍのものである。
【００５２】
この官能試験の結果によると、中心軸１ｃ周りの慣性モーメントが０．０９×１０−５ｋｇ・ｍ２以下である場合、ウォーキングポールの長さに関係なく、実施形態に係るウォーキングポール１の操作性を特に向上させることができる。また、第２端１ｂを回転中心として第１端１ａを回転させる際の慣性モーメントが０．０４４×１０−５ｋｇ・ｍ２以下である場合、この官能試験によると、実施形態に係るウォーキングポール１の操作性を特に向上させることができる。さらに、この官能試験によると、実施形態に係るウォーキングポール１の中心軸１ｃ周りの慣性モーメントと第２端１ｂを回転中心として第１端１ａを回転させる際の慣性モーメントとの積が０．００３×１０−１０ｋｇ２・ｍ４以下である場合、実施形態に係るウォーキングポール１の操作性を特に向上させることができる。
【００５３】
実施形態に係るウォーキングポール１において、握持部３３に位置するグリップ３の外周面に目盛り３４が設けられている場合、使用者は自らの身長に応じた適切な握持位置を容易に把握することが可能となる。
【００５４】
目盛り３４の数が複数であり、各々の目盛り３４が等間隔で設けられている場合、使用者は自らの身長に応じた適切な握持位置をより容易に把握することが可能となる。
【００５５】
実施形態に係るウォーキングポール１において、握持部３３に位置するグリップ３の外周面における摩擦力が３．０ｋｇｆ以上である場合、使用者が握持部３３を強く握り込まなくても（又はストラップ４で使用者の手をきつく締め付けなくても）実施形態に係るウォーキングポール１が使用者の手から離れてしまうことを抑制することが可能となる。
【００５６】
他方、グリップ３が樹脂材料で形成される場合、グリップ３の硬度と外周面における摩擦力とは、負の相関関係がある（摩擦力が高くなるほど、硬度が低下する傾向にある）。そのため、実施形態に係るウォーキングポール１において、握持部３３に位置するグリップ３の外周面における摩擦力が３．７ｋｇｆを超える場合、使用者が握持部３３を握り込んだ際に、柔らかすぎて握り心地の悪さを感じてしまう（ベタつき感を感じてしまう）おそれがある。したがって、実施形態に係るウォーキングポール１において、握持部３３に位置するグリップ３の外周面における摩擦力が３．０ｋｇｆ以上３．７ｋｇｆ以下である場合、グリップ３の握り心地の良さと使用者の手からの離れにくさとを両立することができる。
【００５７】
図７は、実施形態に係るウォーキングポール１の握持部３３に位置するグリップ３の外周面における摩擦力と硬度との関係を示すグラフである。図７に示すように、グリップ３の硬度が５０度以上６０度以下の範囲において、硬度が上昇しても摩擦力の低下が生じにくい（この範囲において、硬度上昇に対する摩擦力減少の勾配が小さくなっている）。
【００５８】
グリップ３の硬度及び握持部３３に位置するグリップ３の外周面における摩擦力とグリップ３の握り心地との関係を評価するための官能試験の結果を表３に示す。この官能試験においては、握り心地を滑りにくさ、握りやすさ及び触感の各々の観点から７段階で評価した（最も良い場合を７点、最も悪い場合を１点とした）。なお、被験者は、各実施例について８人とした。この官能試験に供した実施例を表４に示す。
【００５９】
【表３】
2018114071.tif 000005
【００６０】
【表４】
2018114071.tif 000006
【００６１】
この官能試験の結果によると、グリップ３の硬度が５０度以上６０度以下の範囲において、滑りにくさ、握りやすさ及び触感の観点から握り心地が特に好ましいことが明らかとされた。
【００６２】
ノルディックウォーキングにおいて、ウォーキングポールの操作性を改善するため、より具体的には、ウォーキングポールの中心軸１ｃ周りの慣性モーメントが小さいことをより効果的に体感させるためには、グリップ３の外周面における摩擦力が適正であり、グリップ３の硬度が５０度以上６０度以下の範囲であることが特に好ましいことが明らかとされた。
【００６３】
実施形態に係るウォーキングポール１において、握持部３３に位置するグリップ３の外周面にテクスチャが設けられている場合、握持部３３に位置するグリップ３の外周面における摩擦力が上昇する。そのため、この場合には、使用者が握持部３３を強く握り込まなくても（又はストラップ４で使用者の手をきつく締め付けなくても）実施形態に係るウォーキングポール１が使用者の手から離れてしまうことを抑制することが可能となる。
【００６４】
握持部３３の少なくとも一部において外径が太くなっている部分があれば、そのような部分の存在に起因して、中心軸１ｃ周りの慣性モーメントが上昇し、操作性が悪化する。そのため、実施形態に係るウォーキングポール１において、握持部３３に位置するグリップ３の外径が、目盛り３４（溝３４ａ）が設けられている部分を除いて一定である場合、操作性をさらに向上させることができる。
【００６５】
実施形態に係るウォーキングポール１において、握持部３３が中心面１ｄに関して面対称な形状となっている場合、実施形態に係るウォーキングポール１は、右手用及び左手用の区別を無くすことが可能となる。
【００６６】
今回開示された実施形態はすべての点で例示であって、制限的なものではないと考えられるべきである。本発明の範囲は上記した実施形態ではなく特許請求の範囲によって示され、特許請求の範囲と均等の意味、及び範囲内でのすべての変更が含まれることが意図される。
【符号の説明】
【００６７】
１  ウォーキングポール、１ａ  第１端、１ｂ  第２端、１ｃ  中心軸、１ｄ  中心面、２  シャフト、３  グリップ、３１  第１端部、３２  第２端部、３３  握持部、３４  目盛り、３４ａ  溝、４  ストラップ、４１  下部ストラップ、４２  上部ストラップ、４３  帯状部材、４４  ループ部材、５  保護部材、６  測定機器、６１  試験片固定部、６２  試験片摩擦プレート、６３  試験片、６３ａ  アルミニウムパイプ、Ｍ  中央、Ｌ１，Ｌ２  長さ、ＬＤ１，ＬＤ２  荷重。
【図１】
2018114071.tif 000007
【図２】
2018114071.tif 000008
【図３】
2018114071.tif 000009
【図４】
2018114071.tif 000010
【図５】
2018114071.tif 000011
【図６】
2018114071.tif 000012
【図７】
2018114071.tif 000013